(57)【要約】【課題】遊技店の運用ニーズに適合した景品交換サービスを実現することを課題とする。【解決手段】景品管理装置７０ａ又は７０ｂは、貸出レートごとに当該貸出レートのパチンコ玉と景品との交換を許可するか否かを示す交換許可フラグを対応付けて記憶しておき、計数レシートや会員カード等の交換用記録媒体から交換対象の貸出レートを取得し、貸出レートに対応付けて記憶された交換許可フラグに基づいて、取得した交換対象の貸出レートの獲得玉又は貯玉と景品との交換を許可するか否かを判定し、交換を許可すると判定した場合には、当該交換対象の貸出レートの獲得玉又は貯玉と景品との交換を許可し、交換を許可しないと判定した場合には、当該交換対象の貸出レートの獲得玉又は貯玉と景品との交換を禁止するように制御する。【選択図】図４
2010188179.tif 000002
【特許請求の範囲】
【請求項１】
遊技店に登録した会員の貯遊技媒体データを管理する会員管理装置と、貯遊技媒体数を所望の景品に交換処理する景品管理装置とを備えた会員管理システムであって、
前記景品管理装置は、
遊技媒体の貸出単価である複数の貸出レートのうち、前記景品へ交換を許可する貯遊技媒体の貸出レートを許可レートとして記憶する記憶手段と、
前記会員に付与された会員用記録媒体に記録された会員識別情報を読み取る会員識別情報読取手段と、
前記会員識別情報読取手段により読み取られた会員識別情報を前記会員管理装置に送信して貯遊技媒体数の問い合わせを行う問合せ手段と、
前記会員管理装置から返信される複数の貸出レートの貯遊技媒体数のうち前記記憶手段に記憶された前記許可レートと一致する貸出レートの貯遊技媒体数についての交換を許可し、前記記憶手段に記憶された前記許可レートと一致しない貸出レートの貯遊技媒体数についての交換を禁止するよう制御する交換制御手段とを備え、
前記会員管理装置は、
前記会員識別情報に対応づけて複数の貸出レートの貯遊技媒体数を管理する貯遊技媒体数管理手段と、
前記景品管理装置から会員識別情報を受け付けた場合に、前記貯遊技媒体数管理手段で管理された該会員識別情報に対応する複数の貸出レートの貯遊技媒体数を前記景品管理装置に返信する返信手段とを備えた
ことを特徴とする会員管理システム。
【請求項２】
遊技店に登録した会員の貯遊技媒体データを管理する会員管理装置と、貯遊技媒体数を所望の景品に交換処理する景品管理装置とを備えた会員管理システムであって、
前記景品管理装置は、
遊技媒体の貸出単価である複数の貸出レートのうち、前記景品へ交換を禁止する貯遊技媒体の貸出レートを禁止レートとして記憶する記憶手段と、
前記会員に付与された会員用記録媒体に記録された会員識別情報を読み取る会員識別情報読取手段と、
前記会員識別情報読取手段により読み取られた会員識別情報を前記会員管理装置に送信して貯遊技媒体数の問い合わせを行う問合せ手段と、
前記会員管理装置から返信される複数の貸出レートの貯遊技媒体数のうち前記記憶手段に記憶された前記禁止レートと一致する貸出レートの貯遊技媒体数についての交換を禁止し、前記記憶手段に記憶された前記禁止レートと一致しない貸出レートの貯遊技媒体数についての交換を許可するよう制御する交換制御手段とを備え、
前記会員管理装置は、
前記会員識別情報に対応づけて複数の貸出レートの貯遊技媒体数を管理する貯遊技媒体数管理手段と、
前記景品管理装置から会員識別情報を受け付けた場合に、前記貯遊技媒体数管理手段で管理された該会員識別情報に対応する複数の貸出レートの貯遊技媒体数を前記景品管理装置に返信する返信手段とを備えた
ことを特徴とする会員管理システム。
【請求項３】
遊技店に登録した会員の貯遊技媒体データを管理する会員管理装置であって、
前記会員に付与された会員用記録媒体に記録された会員識別情報に対応づけて複数の貸出レートの貯遊技媒体数を管理する貯遊技媒体数管理手段と、
貯遊技媒体数を所望の景品に交換処理する景品管理装置から会員識別情報を受け付けた場合に、前記貯遊技媒体数管理手段で管理された該会員識別情報に対応する複数の貸出レートの貯遊技媒体数を前記景品管理装置に返信する返信手段と
を備えたことを特徴とする会員管理装置。
【発明の詳細な説明】
【技術分野】
【０００１】
本発明は、遊技媒体の数量が関連付けられた交換用記録媒体（例えば、計数レシートや会員カード等）を通じて遊技媒体と所望の景品との交換を管理する会員管理システム及び会員管理装置に関する。
【背景技術】
【０００２】
従来、パチンコ遊技及びパチスロ遊技を提供する遊技店においては、遊技客によって獲得された遊技媒体を遊技客が希望する景品に交換する景品交換サービスを提供している。かかる景品交換サービスを提供するものとしては、遊技媒体の数量が関連付けられた計数記録媒体や会員記録媒体等の交換用記録媒体を通じて遊技媒体と景品との交換を管理する景品管理装置が知られている（例えば、特許文献１参照）。
【０００３】
ところで、最近では、遊技客に低料金で比較的長い時間楽しんでもらえる遊技を提供したいというニーズ、遊技台のお試し遊技の提供や人気分析等のニーズから、汎用の貸出レート（玉：４円／玉、メダル：２０円／枚）よりも低い貸出レート（玉：１円／玉、メダル：１０円／枚）の低レートコーナーを汎用貸出レート（高レート）のコーナーと併存させる仕組みが確立されつつある。
【０００４】
かかる低レートコーナーは、あくまでお試し遊技を提供するコーナーであり、遊技客を高レートコーナーに誘導することを目的とするものであるため、高レートコーナーで獲得された玉・メダルについては、景品買取場で買取り可能な特殊景品との交換を容認するが、低レートコーナーで獲得された玉・メダルについては、特殊景品との交換を禁止したいという運用ニーズが強く存在している。
【０００５】
このため、遊技店では、高レート専用の景品カウンタと、低レート専用の景品カウンタを別々に設け、高レート専用の景品カウンタでは、主として払い出す景品が特殊景品と想定されるため、特殊景品を払い出す景品払出機を景品管理装置に接続する一方で一般景品の品揃えを少なくし、また、低レート専用の景品カウンタでは、特殊景品との交換を行わないため、景品払出機を景品管理装置に接続しない一方で、一般景品の品揃えを充実させる運用が行われる公算が高い。
【０００６】
【特許文献１】特開２００２−３３１１４６号公報
【発明の概要】
【発明が解決しようとする課題】
【０００７】
しかしながら、従来の景品交換の場合と同様に、いずれの貸出レートの遊技媒体が関連付けられた交換用記録媒体でもその景品交換を受け付けていたのでは、各貸出レートに対応する景品カウンタ間で交換景品の差別化を図りたいとする遊技店の運用ニーズに対応することができないという問題がある。
【０００８】
より具体的には、高レート専用の景品管理装置にだけ景品払出機を接続して、特殊景品への交換を許容するとともに一般景品の品揃えを少なくする一方で、低レート専用の景品カウンタでは一般景品の品揃えを豊富にする運用を採用しようとしても、たとえば高レート専用の景品管理装置で低レートの計数記録媒体を用いた景品交換を試行したり、また、低レート専用の景品管理装置で高レートの計数記録媒体を用いた景品交換を試行してしまうので、高レート専用の景品カウンタに低レートの計数記録媒体を持ち込んだ遊技客は交換できる景品が少なく、希望景品と交換できなくなってしまう事態が生じたり、また、低レート専用の景品管理装置では特殊景品に交換できないのに特殊景品との交換を受け付けてしまう事態が発生する。これらの事態が生ずると、遊技店内の景品交換業務が著しく滞ってしまうため、遊技店はかかる運用を敬遠せざるを得ず、遊技店の運用ニーズに適合した景品交換サービスを実現することは困難であった。
【０００９】
このことから、複数の貸出レートごとに景品カウンタを設ける場合に、いかにして特定の貸出レート専用の景品管理装置として機能させるかが重要な課題となっている。
【００１０】
そこで、本発明は、上述した従来技術による課題（問題点）を解消するためになされたものであり、複数の貸出レートごとに景品カウンタを設ける場合に、特定の貸出レート専用の景品管理装置として機能させ、遊技店の運用ニーズに適合した景品交換サービスを実現することができる会員管理システム及び会員管理装置を提供することを目的とする。
【課題を解決するための手段】
【００１１】
上述した課題を解決し、目的を達成するために、本発明に係る会員管理システムは、遊技店に登録した会員の貯遊技媒体データを管理する会員管理装置と、貯遊技媒体数を所望の景品に交換処理する景品管理装置とを備えた会員管理システムであって、前記景品管理装置は、遊技媒体の貸出単価である複数の貸出レートのうち、前記景品へ交換を許可する貯遊技媒体の貸出レートを許可レートとして記憶する記憶手段と、前記会員に付与された会員用記録媒体に記録された会員識別情報を読み取る会員識別情報読取手段と、前記会員識別情報読取手段により読み取られた会員識別情報を前記会員管理装置に送信して貯遊技媒体数の問い合わせを行う問合せ手段と、前記会員管理装置から返信される複数の貸出レートの貯遊技媒体数のうち前記記憶手段に記憶された前記許可レートと一致する貸出レートの貯遊技媒体数についての交換を許可し、前記記憶手段に記憶された前記許可レートと一致する貸出レートの貯遊技媒体数についての交換を禁止するよう制御する交換制御手段とを備え、前記会員管理装置は、前記会員識別情報に対応づけて複数の貸出レートの貯遊技媒体数を管理する貯遊技媒体数管理手段と、前記景品管理装置から会員識別情報を受け付けた場合に、前記貯遊技媒体数管理手段で管理された該会員識別情報に対応する複数の貸出レートの貯遊技媒体数を前記景品管理装置に返信する返信手段とを備えたことを特徴とする。
【００１２】
また、本発明に係る会員管理システムは、遊技店に登録した会員の貯遊技媒体データを管理する会員管理装置と、貯遊技媒体数を所望の景品に交換処理する景品管理装置とを備えた会員管理システムであって、前記景品管理装置は、遊技媒体の貸出単価である複数の貸出レートのうち、前記景品へ交換を禁止する貯遊技媒体の貸出レートを禁止レートとして記憶する記憶手段と、前記会員に付与された会員用記録媒体に記録された会員識別情報を読み取る会員識別情報読取手段と、前記会員識別情報読取手段により読み取られた会員識別情報を前記会員管理装置に送信して貯遊技媒体数の問い合わせを行う問合せ手段と、
前記会員管理装置から返信される複数の貸出レートの貯遊技媒体数のうち前記記憶手段に記憶された前記禁止レートと一致する貸出レートの貯遊技媒体数についての交換を禁止し、前記記憶手段に記憶された前記禁止レートと一致しない貸出レートの貯遊技媒体数についての交換を許可するよう制御する交換制御手段とを備え、前記会員管理装置は、前記会員識別情報に対応づけて複数の貸出レートの貯遊技媒体数を管理する貯遊技媒体数管理手段と、前記景品管理装置から会員識別情報を受け付けた場合に、前記貯遊技媒体数管理手段で管理された該会員識別情報に対応する複数の貸出レートの貯遊技媒体数を前記景品管理装置に返信する返信手段とを備えたことを特徴とする。
【００１３】
また、本発明に係る会員管理装置は、遊技店に登録した会員の貯遊技媒体データを管理する会員管理装置であって、前記会員に付与された会員用記録媒体に記録された会員識別情報に対応づけて複数の貸出レートの貯遊技媒体数を管理する貯遊技媒体数管理手段と、貯遊技媒体数を所望の景品に交換処理する景品管理装置から会員識別情報を受け付けた場合に、前記貯遊技媒体数管理手段で管理された該会員識別情報に対応する複数の貸出レートの貯遊技媒体数を前記景品管理装置に返信する返信手段とを備えたことを特徴とする。
【発明の効果】
【００１４】
本発明によれば、景品管理装置が、遊技媒体の貸出単価である複数の貸出レートのうち、景品へ交換を許可する貯遊技媒体の貸出レートを許可レートとして記憶しておき、会員に付与された会員用記録媒体に記録された会員識別情報を読み取ったならば、読み取った会員識別情報を会員管理装置に送信して貯遊技媒体数の問い合わせを行う。会員管理装置は、会員識別情報に対応づけて複数の貸出レートの貯遊技媒体数を管理しておき、景品管理装置から会員識別情報を受け付けた場合に、該会員識別情報に対応する複数の貸出レートの貯遊技媒体数を景品管理装置に返信する。景品管理装置は、会員管理装置から返信される複数の貸出レートの貯遊技媒体数のうち許可レートと一致する貸出レートの貯遊技媒体数についての交換を許可し、許可レートと一致しない貸出レートの貯遊技媒体数についての交換を禁止するよう制御する。このように構成したので、複数の貸出レートごとに景品カウンタを設ける場合に、特定の貸出レート専用の景品管理装置として機能させ、遊技店の運用ニーズに適合した景品交換サービスを実現することが可能な会員管理システムが得られるという効果を奏する。
【００１５】
また、本発明によれば、景品管理装置が、遊技媒体の貸出単価である複数の貸出レートのうち、景品へ交換を禁止する貯遊技媒体の貸出レートを禁止レートとして記憶しておき、会員に付与された会員用記録媒体に記録された会員識別情報を読み取ったならば、読み取った会員識別情報を会員管理装置に送信して貯遊技媒体数の問い合わせを行う。会員管理装置は、会員識別情報に対応づけて複数の貸出レートの貯遊技媒体数を管理しておき、景品管理装置から会員識別情報を受け付けた場合に、該会員識別情報に対応する複数の貸出レートの貯遊技媒体数を景品管理装置に返信する。景品管理装置は、会員管理装置から返信される複数の貸出レートの貯遊技媒体数のうち禁止レートと一致する貸出レートの貯遊技媒体数についての交換を禁止し、禁止レートと一致しない貸出レートの貯遊技媒体数についての交換を許可するよう制御する。このように構成したので、複数の貸出レートごとに景品カウンタを設ける場合に、特定の貸出レート専用の景品管理装置として機能させ、遊技店の運用ニーズに適合した景品交換サービスを実現することが可能な会員管理システムが得られるという効果を奏する。
【図面の簡単な説明】
【００１６】
【図１】図１は、実施例１に係る遊技店の店内システムのシステム構成を示す図である。
【図２】図２は、実施例１に係る遊技店のフロア構成を示す図である。
【図３】図３は、実施例１に係る景品管理装置の特徴を説明するための概念図である。
【図４】図４は、図１に示した景品管理装置の構成を示す機能ブロック図である。
【図５】図５は、交換許可設定テーブルに記憶される情報の構成例を示す図である。
【図６】図６は、交換許可設定テーブルに記憶される情報の構成例を示す図である。
【図７】図７は、交換玉数管理テーブルに記憶される情報の構成例を示す図である。
【図８】図８は、交換玉数管理テーブルに記憶される情報の構成例を示す図である。
【図９】図９は、実施例１に係る景品交換処理を示すフローチャートである。
【図１０】図１０は、図９のステップＳ１０２に示した計数レシートに係る交換許可判定処理の手順を示すフローチャートである。
【図１１】図１１は、図９のステップＳ１０４に示した会員カードに係る交換許可判定処理の手順を示すフローチャートである。
【図１２】図１２は、図１は、交換許可設定テーブルの設定例の一形態を説明するための説明図である。
【図１３】図１３は、交換許可設定テーブルの設定例の一形態を説明するための説明図である。
【図１４】図１４は、遊技店のフロア構成の応用例を示す図である。
【図１５】図１５は、交換許可設定テーブルに記憶される情報の構成例を示す図である。
【発明を実施するための形態】
【００１７】
以下に添付図面を参照して、本発明に係る会員管理システム及び会員管理装置の好適な実施例を詳細に説明する。なお、以下では、本発明をパチンコ遊技に適用する場合について説明することとする。
【実施例１】
【００１８】
まず、本実施例１に係る遊技店の店内システムのシステム構成について説明する。図１は、実施例１に係る遊技店の店内システムのシステム構成を示す図である。なお、本実施例１では、パチンコ玉を１玉４円で貸し出す４円コーナーとパチンコ玉を１玉１円で貸し出す１円コーナーが遊技店内に併設される場合について説明することとする。
【００１９】
同図に示すように、店内システムには、遊技店にて予め登録処理された遊技客の会員情報を管理する会員管理用ターミナルコントローラ（以下、「会員管理Ｔ／Ｃ」と言う）１０と、島コントローラ２０と、カード処理ユニット（以下、「ＣＲユニット」と言う）３０ａ及び３０ｂと、パチンコ機４０ａ及び４０ｂと、計数機５０ａ及び５０ｂと、会員カード処理機６０ａ及び６０ｂと、景品管理装置７０ａ及び７０ｂと、景品払出機８０とが設けられている。なお、ここでは、ＣＲユニット、パチンコ機、計数機、会員カード処理機ならびに景品管理装置に付した符号のうち英文字ａ及びｂはその機器が所属する貸出レート（以下で言う玉１及び玉２）を指しているが、貸出レートに係る差異がない説明を行う場合には、かかる英文字を省略し、単に、ＣＲユニット３０、パチンコ機４０、計数機５０、会員カード処理機６０ならびに景品管理装置７０と記載して説明を行う。
【００２０】
そして、会員管理Ｔ／Ｃ１０には、島コントローラ２０、会員カード処理機６０ａ及び６０ｂならびに景品管理装置７０ａ及び７０ｂが接続されており、島コントローラ２０には、各島に設置された複数のパチンコ機４０ａ及び４０ｂにそれぞれに併設されたＣＲユニット３０ａ及び３０ｂが接続されており、会員カード処理機６０ａ及び６０ｂには、パチンコ玉数を計数する計数機５０ａ及び５０ｂがそれぞれ接続されている。また、本実施例１では、高レートコーナー（４円コーナー）だけに特殊景品との交換を容認する運用を採用しており、４円コーナーの景品管理装置７０ａだけに特殊景品を払出す景品払出機８０が接続されている。
【００２１】
ここで、本実施例１に係る遊技店は、図２に示すように、１Ｆ、２Ｆの階層構造に構成されており、遊技店の２Ｆには図１に示すＣＲユニット３０ａ及びパチンコ機４０ａからなる４円コーナーが設けられ、遊技店の１Ｆには図１に示すＣＲユニット３０ｂ及びパチンコ機４０ｂからなる１円コーナーが設けられている。
【００２２】
この４円コーナーは、遊技客に対して４円／玉の貸出レートで玉貸しを行う島であり、１円コーナーは、遊技客に対して１円／玉の貸出レートで玉貸しを行う島である。４円／玉の汎用貸出レートよりも低い１円／玉の１円コーナーを設けた理由は、主として、遊技客による試し打ちを可能にするとともに、遊技機に対する遊技客の客付きや評価に関する情報を得るためである。なお、本実施例１では、４円／玉の貸出レートを「玉１」と呼称し、１円／玉の貸出レートを「玉２」と呼称することとする。
【００２３】
さらに、この店内システムでは、４円コーナー専用の景品管理装置７０ａ及び１円コーナー専用の景品管理装置７０ｂが両コーナーそれぞれに設けられている。このように別個に設ける理由は、４円コーナーの獲得玉は４円コーナー専用の景品管理装置７０ａでしか景品交換させず、１円コーナーの獲得玉は１円コーナー専用の景品管理装置７０ｂでしか景品交換させないと運用を実現するためであり、かかる運用によってぞれぞれのコーナーで交換対象とする景品が相違するためである。
【００２４】
かかる運用が採用される背景には、１円コーナーでのお試し遊技でパチンコ遊技の楽しさを知らしめ、ひいては４円コーナーに遊技客を誘導するという目的から、４円コーナー専用の景品管理装置７０ａでは特殊景品への交換を容認するが、１円コーナー専用の景品管理装置７０ｂでは特殊景品への交換を禁止したいという運用ニーズが存在する。
【００２５】
ＣＲユニット３０ａは、現金またはプリペイドカードによる４円／玉の玉貸し及び会員カードを用いた貯玉の再プレイを行うユニットであり、例えばこのＣＲユニット３０ａに１０００円札が挿入されると、このＣＲユニット３０ａからパチンコ機４０ａに対して２５０玉の玉投出指示がなされる。一方、ＣＲユニット３０ｂは、現金による１円／玉の玉貸し及び会員カードを用いた貯玉の再プレイを行うユニットであり、例えばこのＣＲユニット３０ｂに１０００円札が挿入されると、５００円分（＝５００玉）をパチンコ機４０ｂに払い出させるとともに残額（５００円）を記憶しておき、次の貸出指令を受ければ、その残額分をパチンコ機４０ｂに投出させる。このように、１円貸しの場合だけパチンコ玉を分割して投出させることとしたのは、遊技台の下皿及び上皿は４円貸しが行われる際の投出数２５０個を基準に設計されており、１円貸しを行う際に１０００円分（＝１０００玉）を全て投出させたのでは遊技台の下皿及び上皿からパチンコ玉が溢れ出してしまうからである。
【００２６】
パチンコ機４０ａ及び４０ｂは、パチンコ玉を用いたパチンコ遊技を遊技客に提供する遊技機であり、両者には４円コーナー及び１円コーナーに係る差異はない。ただし、１円コーナーに配設されるパチンコ機４０ｂは、遊技店の売上を担う遊技機ではなく、これから遊技店に新たに導入される新台が配設されることが多い。遊技客が大きな投資をすることなく新台の試し打ちを可能にするとともに、低料金で比較的長い時間楽しんでもらえる遊技を提供するためである。
【００２７】
遊技客は、これらのＣＲユニット３０ａ及び３０ｂを用いて貯玉の再プレイを行うことができ、遊技客がＣＲユニット３０ａ又は３０ｂのカード挿入口に会員カードを挿入した状態でテンキーから暗証番号を入力して所定の再プレイボタンを押下操作すると、会員カードＩＤ、暗証番号、４円コーナー又は１円コーナーの種別（以下、玉１又は玉２の種別）及びＣＲユニットを一意に特定するユニット識別情報を含む再プレイ要求信号が会員管理Ｔ／Ｃ１０に対して送信され、貯玉残高の範囲内で貯玉を引き落とすことができる。なお、ここでは一度の再プレイ操作で貯玉口座から引き出される玉数は固定であるものとする。
【００２８】
計数機５０は、遊技客が獲得したパチンコ玉を計数する計数機であり、その計数結果を会員カード処理機６０に出力する。具体的には、計数機５０ａには４円コーナーのパチンコ機４０ａで獲得されたパチンコ玉が投入され、また、計数機５０ｂには１円コーナーのパチンコ機４０ｂで獲得されたパチンコ玉が投入されるので、計数機５０ａ及び５０ｂでは投入されたパチンコ玉を計数し、会員カード処理機６０ａ又は６０ｂに出力する。なお、本実施例１では、計数機５０ａ及び５０ｂはパチンコ玉の計数機能のみを有することとし、計数結果がバーコード印字された計数レシートを発行する印字機能、並びに、会員管理Ｔ／Ｃ１０にて記憶管理される貯玉残高に計数結果の一部または全部を貯玉加算させる計数貯玉機能は、後述する会員カード処理機６０ａ及び６０ｂが有することとする。
【００２９】
会員カード処理機６０ａは、登録済み会員による貯玉を行う際に利用される会員用端末装置であり、会員カードに記録した会員ＩＤを読み取るカードリーダを備えている。例えば、計数機５０ａに接続される会員カード処理機６０ａでは、当該会員カード処理機６０ａが所属する貸出レート種別（玉１）を保持しており（或いは係員から貸出レート種別の指定を受け付けてもよい）、計数機５０ａから計数結果が入力され、遊技店の係員が遊技客から受け取った会員カードをカード挿入口に挿入されると、会員ＩＤ、計数値、貸出レート（玉１）を含む貯玉依頼信号が会員管理Ｔ／Ｃ１０に対して送信される。また、会員カード処理機６０ｂでは、会員管理Ｔ／Ｃ１０に送信する貸出レートとして、１円コーナーに所属する旨を表す情報（玉２）を送信する点が相違する。
【００３０】
また、会員カード処理機６０は、計数機５０で計数されたパチンコ玉数をバーコード印刷した計数レシートを発行することもでき、係員がパチンコ玉の計数時に貸出レートを指定してレシート発行ボタンを押下操作すると、パチンコ玉数、貸出レート、発行日時及び計数機番号を含む計数情報がバーコード印刷された計数レシートが発行される。
【００３１】
なお、本実施例１では、４円コーナー専用の計数機と１円コーナー専用の計数機とを別個に配設することとしたが、一台の計数機５０を用いて４円コーナーで遊技客が獲得したパチンコ玉と１円コーナーで遊技客が獲得したパチンコ玉の両方を計数することもできる。
【００３２】
会員管理Ｔ／Ｃ１０は、会員管理テーブルを用いて遊技店に登録された会員の統括管理を行う管理装置である。この会員管理テーブルは、会員ＩＤ、４円コーナー及び１円コーナーの貯玉残高及び属性情報を対応付けて記憶している。そして、会員カード処理機６０又は景品管理装置７０から貯玉加算依頼を受け付けたならばこの貯玉加算依頼に含まれる会員ＩＤ及び貸出レートに該当する貯玉口座内の貯玉残高を加算処理し、ＣＲユニット３０または景品管理装置７０から貯玉減算依頼を受け付けたならばこの貯玉減算依頼に含まれる会員ＩＤ及び貸出レートに該当する貯玉口座内の貯玉残高を減算処理する。
【００３３】
景品管理装置７０は、遊技店内の景品交換カウンタに配設された景品交換用の端末装置であり、図４で後述するカードリーダ８１及びバーコードリーダ８２を備える。なお、以下では、景品管理装置７０ａ及び７０ｂの両者に４円コーナー及び１円コーナーに係る差異を説明する場合に、景品管理装置の符号７０に英文字ａ（玉１に対応する旨を表す）又はｂ（玉２に対応する旨を表す）を数字に付して説明する。
【００３４】
この景品管理装置７０は、後述する交換玉数管理テーブル７９を用いて獲得玉と景品との交換を管理する。この交換玉数管理テーブル７９は、各景品に交換玉数を対応付けて記憶するものであるが、１円コーナー専用の景品管理装置７０ｂは４円コーナー専用の景品管理装置７０ａの４分の１の玉単価でパチンコ玉を扱うため、同一景品において４倍の交換玉数が設定されている。そして、景品交換カウンタ内の係員が、会員カード処理機６０により計数値（獲得玉数）及び貸出レートを含む計数情報がバーコード印字された計数レシートを遊技客から受け取ると、この計数レシートから獲得玉数及び貸出レートをバーコードリーダ８２で読み取り、後述する交換許可判定、すなわち当該景品管理装置７０で計数レシートから読み取った貸出レートの獲得玉を用いて交換することが許可されているか否かの判定を行い、景品交換が許可されたならば、遊技客により指定された景品に対応する交換ボタンを押下し、当該景品の交換玉数を獲得玉数から減算する交換処理を実行させ、その後に係員による手作業で遊技客に受け渡す。
【００３５】
さらに、景品管理装置７０は、計数レシートに印刷されたバーコードからパチンコ玉数及び貸出レートを読み取って景品交換に利用するだけではなく、計数レシートを用いた貯玉、いわゆるレシート貯玉を行うこともできる。具体的には、この景品管理装置７０に設けられたバーコードリーダ８２で計数レシートを読み取るとともに、カードリーダ８１に会員カードを挿入して貯玉ボタンを押下すると、会員ＩＤ、パチンコ玉数、貸出レートを含む貯玉依頼信号が会員管理Ｔ／Ｃ１０に対して送信される。なお、ここでは、計数レシートと遊技コーナーとの間で貸出レートが異なる場合にレシート貯玉を許容しているが、必ずしも許容する必要はない。
【００３６】
また、景品管理装置７０は、会員管理Ｔ／Ｃ１０の会員管理テーブルによって管理された貯玉残高を用いて景品交換を行うこともできる。具体的には、カードリーダ８１を通じて会員カードから会員ＩＤが読み取られると、この会員ＩＤを用いて会員管理Ｔ／Ｃ１０に両コーナーの貯玉残高を問合せ、該問い合わせた両コーナーの貯玉残高を表示するとともに、引落し対象とする貯玉口座の貸出レートを選択させ、該選択された貯玉口座の貸出レートと当コーナーの貸出レートが一致する場合に景品交換を許容して上記した景品交換を行う。
【００３７】
なお、１円コーナー専用の景品管理装置７０ｂでは、上記した運用（すなわち、１円獲得玉及び１円貯玉と特殊景品との交換を禁止する運用）を行うため、特殊景品の交換ボタンが押下された場合でも獲得玉と特殊景品の交換は行われない。
【００３８】
一方、４円コーナー専用の景品管理装置７０ａでは、特殊景品への交換を許容されるので、既存の景品管理装置と同様、景品払出機８０を通じて特殊景品の払出しを行うことができる。具体的には、遊技客が特殊景品への交換を希望する場合に、遊技店の係員はこの景品管理装置７０ａに設けられた特殊景品の交換ボタンを押下し、交換玉数管理テーブル７９を参照して獲得玉数分又は指定貯玉数分の特殊景品の払出しを景品払出機８０に指示する。
【００３９】
ここで、本実施例１に係る景品管理装置７０は、貸出レートごとに当該貸出レートのパチンコ玉と景品との交換を許可するか否かを示す交換可否設定を対応付けて記憶しておき、計数レシートや会員カード等の交換用記録媒体から交換対象の貸出レートを取得し、貸出レートに対応付けて記憶された交換可否設定に基づいて、取得した交換対象の貸出レートのパチンコ玉と景品との交換を許可するか否かを判定し、交換を許可すると判定した場合には、当該交換対象の貸出レートのパチンコ玉と景品との交換を許可し、交換を許可しないと判定した場合には、当該交換対象の貸出レートのパチンコ玉と景品との交換を禁止するように制御する点にその特徴がある。
【００４０】
すなわち、本実施例１に係る景品管理装置７０では、たとえばバーコードリーダ８２によって計数レシートに記録された計数情報が読み取られた際にそのまま計数値（獲得玉数）を用いた景品交換を試行するようなことはしない。つまり、景品管理装置７０で受け付けた計数レシートが当該景品管理装置７０で取り扱ってよい貸出レートの計数レシートであるのか否かを判定するようにしている。
【００４１】
例えば、玉１の計数レシート（獲得玉）を用いた景品交換は許可するが、玉２の計数レシート（獲得玉）を用いた景品交換は許可しない旨を各貸出レートの交換可否設定として景品管理装置７０ａに記憶させておけば、景品管理装置７０ａでは、図３に示すように、玉１の獲得玉が関連付けられた計数レシートを受け付けた場合には、この計数レシートの貸出レートと対応付けられた交換可否設定（交換許可）により交換を許可すると判定し、景品交換を許可する一方で、玉２の獲得玉が関連付けられた計数レシートを受け付けた場合には、この計数レシートと対応付けられた交換可否設定（交換不許可）により交換を不許可とすると判定し、景品交換を禁止することができる。
【００４２】
また、玉２の計数レシート（獲得玉）を用いた景品交換は許可するが、玉１の計数レシート（獲得玉）を用いた景品交換は許可しない旨を各貸出レートの交換可否設定として景品管理装置７０ｂに記憶させておけば、景品管理装置７０ｂでは、図３に示すように、玉２の獲得玉が関連付けられた計数レシートを受け付けた場合には、この計数レシートの貸出レートと対応付けられた交換可否設定（交換許可）により交換を許可すると判定し、景品交換を許可する一方で、玉１の獲得玉が関連付けられた計数レシートを受け付けた場合には、この計数レシートと対応付けられた交換可否設定（交換不許可）により交換を不許可とすると判定し、景品交換を禁止することできる。
【００４３】
したがって、本実施例１に係る景品管理装置７０によれば、複数の貸出レートごとに景品カウンタを設ける場合に、それぞれの景品カウンタの景品管理装置７０を４円専用の景品管理装置７０ａならびに１円専用の景品管理装置７０ｂとして機能させることができ、各貸出レートに対応する景品カウンタ間で交換景品の差別化を図りたいとする遊技店の運用ニーズを実現できる結果、遊技店の運用ニーズに適合した景品交換サービスを実現することが可能になる。
【００４４】
次に、図１に示した景品管理装置７０の構成について説明する。図４は、図１に示した景品管理装置７０の構成を示す機能ブロック図である。なお、本実施例１では、景品管理装置７０ａ及び７０ｂのハードウェア構成は略同一であるため、機能及び構成が同一である部分をまとめて説明するとともに、差異がある部分については別途説明することとする。
【００４５】
同図に示すように、この景品管理装置７０は、従業員用タッチパネル７１と、従業員用操作キー７２と、遊技客用タッチパネル７３と、通信Ｉ／Ｆ部７４と、レシート発行部７５と、記憶部７６と、制御部７７とを有する。なお、景品管理装置７０ａには、会員カード等の各種カードから記録情報を読み取るカードリーダ８１、及び、計数レシートからバーコード情報を読み取るバーコードリーダ８２に加え、特殊景品を払出す景品払出機８０が接続されているが、景品管理装置７０ｂでは、特殊景品の払出しが禁止されているので、景品払出機８０には接続されない。
【００４６】
従業員用タッチパネル７１は、液晶パネルやディスプレイなどの表示デバイス上で操作入力を受け付けることができる表示可能かつ入力可能な従業員用デバイスであり、例えば、計数レシートを用いた景品交換が行われる場合に、バーコードリーダ８２によって計数レシートから読み取られた計数値を獲得玉数として表示したり、また、会員によって貯玉を用いた景品交換が行われる場合に、その会員が保有する貸出レートごとの貯玉残高を表示したり、引落し対象とする貯玉口座の貸出レートの選択を促す表示を行うとともに、各貸出レートに対応した貯玉口座を選択ボタンとして表示していずれの貸出レートの貯玉口座を使用するかの選択入力を受け付けたりする。
【００４７】
従業員用操作キー７２は、従業員が操作する一般景品や特殊景品等の各種景品の交換ボタン、テンキー等の総称である。なお、本実施例１では、景品管理装置７０に対する交換景品の指定を従業員に行わせることとしたが、必ずしも従業員に指定させる必要はなく、遊技客に指定させるようにしてもかまわない。
【００４８】
遊技客用タッチパネル７３は、液晶パネルやディスプレイなどの表示デバイス上で操作入力を受け付けることができる表示可能かつ入力可能な遊技客用デバイスであり、従業員用タッチパネル７１と同様の内容を表示する。なお、本実施例１では、従業員用タッチパネル７１と遊技客用タッチパネル７３に表示される画面の内容を同一としたが、必ずしも内容が同一である必要はない。
【００４９】
通信Ｉ／Ｆ部７４は、当該景品管理装置７０と他の装置（例えば、会員管理Ｔ／Ｃ１０、会員カード処理機６０又は景品払出機８０などの他の装置）との間で各種通信を行うためのインターフェースである。
【００５０】
レシート発行部７５は、各種情報を紙媒体に印字する処理部であり、景品管理装置７０にて景品交換処理された内容を印字して景品レシートとして発行する。例えば、計数レシートを用いた景品交換が行われた場合には、総獲得玉数、交換景品名及びその交換玉数等の項目が印字された景品レシートを発行し、また、貯玉を用いた景品交換が行われた場合には、引落し前後の貯玉残高、引落し貯玉数、交換景品名及びその交換玉数などの項目が印字された景品レシートを発行する。
【００５１】
記憶部７６は、制御部７７による各種処理に必要なデータおよびプログラムを記憶する不揮発性メモリ等の記憶デバイスであり、景品レシート等に印字するフォーマット及びその印字内容等の情報の他、本発明に関連するものとして、各貸出レートの交換可否設定を管理する交換許可設定テーブル７８と、景品との交換に要する交換玉数を管理する交換玉数管理テーブル７９とを記憶する。
【００５２】
交換許可設定テーブル７８は、図５及び図６に示すように、交換記録媒体の媒体種別ごとに各貸出レートの交換許可フラグを記憶したテーブルである。ここで、交換許可フラグを記憶した理由は、景品カウンタに持ち込まれた計数レシート及び会員カード（正確には、選択貸出レートの貯玉口座）を用いた交換を許可するか否かを交換許可判定部７７ａに判定させ、景品管理装置７０ａを４円専用の景品管理装置として機能させるとともに、景品管理装置７０ｂを１円専用の景品管理装置として機能させるためである。なお、この交換許可フラグは、交換を許可するか否かを示すフラグであり、オン（図５及び図６に示す「○」）である場合には交換許可を指し、オフ（図５及び図６に示す「×」）である場合には交換不許可を指す。
【００５３】
図５に示した交換許可設定テーブル７８ａは、景品管理装置７０ａに記憶される交換許可設定テーブルの一例を示している。この交換許可設定テーブル７８ａによれば、４円専用の景品管理装置として機能させるべく、玉１の計数レシートを用いた景品交換、ならびに、会員カードに関連付けられた玉１の貯玉口座を用いた景品交換を許可する一方で、玉２の計数レシートを用いた景品交換、ならびに、会員カードに関連付けられた玉２の貯玉口座を用いた景品交換を用いた景品交換を許可しないように、各貸出レートの交換許可フラグが設定されている。
【００５４】
一方、図６に示した交換許可設定テーブル７８ｂは、景品管理装置７０ｂに記憶される交換許可設定テーブルの一例を示している。この交換許可設定テーブル７８ｂによれば、１円専用の景品管理装置として機能させるべく、玉２の計数レシートを用いた景品交換、ならびに、会員カードに関連付けられた玉２の貯玉口座を用いた景品交換を許可する一方で、玉１の計数レシートを用いた景品交換、ならびに、会員カードに関連付けられた玉１の貯玉口座を用いた景品交換を用いた景品交換を許可しないように、各貸出レートの交換許可フラグが設定されている。
【００５５】
交換玉数管理テーブル７９は、景品マスタ、すなわち景品名ごとに交換玉数を記憶したテーブルである。ここで、景品管理装置７０ａ及び７０ｂでは、取り扱う玉単価が相違するので両者に記憶される交換玉数管理テーブル内の交換玉数もそれぞれ相違する。すなわち、１円コーナー専用の景品管理装置７０ｂは４円コーナー専用の景品管理装置７０ａの４分の１の玉単価でパチンコ玉を扱うため、同一景品において４倍の交換玉数が設定されている。
【００５６】
図７に示す例では、４円コーナー専用の景品管理装置７０ａに記憶される交換玉数管理テーブル７９ａを示しており、菓子Ａを２５玉で交換し、ジュースＢを３０玉で交換し、タバコＣを７５玉で交換するように定められている。また、図８に示す例では、１円コーナー専用の景品管理装置７０ｂに記憶される交換玉数管理テーブル７９ｂを示しており、菓子Ａを１００玉で交換し、ジュースＢを１２０玉で交換し、タバコＣを３００玉で交換するように定められている。
【００５７】
制御部７７は、景品管理装置７０を全体制御する制御部であり、交換許可判定部７７ａと、交換許可／禁止制御部７７ｂと、貯玉処理部７７ｃと、景品交換処理部７７ｄとを有する。実際には、これらの機能部に対応するプログラムを図示しないＲＯＭや不揮発性メモリに記憶しておき、これらのプログラムをＣＰＵにロードして実行し、交換許可判定部７７ａ、交換許可／禁止制御部７７ｂ、貯玉処理部７７ｃ及び景品交換処理部７７ｄにそれぞれ対応するプロセスを実行させることになる。
【００５８】
交換許可判定部７７ａは、交換許可設定テーブル７８によって貸出レートに対応付けて記憶された交換可否設定に基づいて、交換対象となる貸出レートのパチンコ玉と景品との交換を許可するか否かを判定する処理部である。
【００５９】
この交換許可判定部７７ａは、バーコードリーダ８２によって計数レシートから計数情報が読み取られた場合に、計数レシートに係る交換許可判定を行う。具体的には、バーコードリーダ８２によって計数レシートから計数情報が読み取られた場合には、交換許可設定テーブル７８によって記憶される交換許可フラグのうち、計数情報に含まれる獲得玉の貸出レートに対応する交換許可フラグを参照し、その結果、交換許可フラグがオンである場合には交換許可と判定し、一方、交換許可フラグがオフである場合には交換不許可と判定する。
【００６０】
例えば、景品管理装置７０ａに内在する交換許可判定部７７ａでは、計数レシートから読み取った貸出レートが玉１である場合には、交換許可設定テーブル７８ａ内の媒体種別が計数レシートであり、貸出レートが玉１である交換許可フラグを参照し、この場合、当該交換許可フラグがオンであるため、当該玉１の計数レシートを用いた景品交換（玉１の獲得玉と景品の交換）を許可と判定し、また、計数レシートから読み取った貸出レートが玉２である場合には、交換許可設定テーブル７８ａ内の媒体種別が計数レシートであり、貸出レートが玉２である交換許可フラグを参照し、この場合、当該交換許可フラグがオフであるため、当該玉２の計数レシートを用いた景品交換（玉２の獲得玉と景品の交換）を不許可と判定する。
【００６１】
一方、景品管理装置７０ｂに内在する交換許可判定部７７ａでは、計数レシートから読み取った貸出レートが玉２である場合には、交換許可設定テーブル７８ｂ内の媒体種別が計数レシートであり、貸出レートが玉２である交換許可フラグを参照し、この場合、当該交換許可フラグがオンであるため、当該玉２の計数レシートを用いた景品交換（玉２の獲得玉と景品の交換）を許可と判定し、また、計数レシートから読み取った貸出レートが玉１である場合には、交換許可設定テーブル７８ｂ内の媒体種別が計数レシートであり、貸出レートが玉１である交換許可フラグを参照し、この場合、当該交換許可フラグがオフであるため、当該玉１の計数レシートを用いた景品交換（玉１の獲得玉と景品の交換）を不許可と判定する。
【００６２】
また、交換許可判定部７７ａは、カードリーダ８１によって会員カードから会員ＩＤが読み取られた場合に、会員カードに係る交換許可判定を行う。具体的には、カードリーダ８１を介して会員カードから読み取られた会員ＩＤの貯玉残高を会員管理Ｔ／Ｃ１０に問い合わせるように貯玉処理部７７ｃに要請し、貯玉処理部７７ｃによって問い合わされた当該会員ＩＤの各貸出レートの貯玉残高を取得した後に、従業員用タッチパネル７１及び遊技客用タッチパネル７３に各貸出レートごとの貯玉残高を表示させるとともに、引落し対象とする貯玉口座の貸出レートを選択する選択ボタンを表示させる。この時、交換許可設定テーブル７８によって記憶される交換許可フラグのうち、引落し対象として選択された貯玉口座の貸出レートに対応する交換許可フラグを参照し、その結果、交換許可フラグがオンである場合には交換許可と判定し、一方、交換許可フラグがオフである場合には交換不許可と判定する。
【００６３】
例えば、景品管理装置７０ａに内在する交換許可判定部７７ａでは、引落し対象として選択された貯玉口座の貸出レートが玉１である場合には、交換許可設定テーブル７８ａ内の媒体種別が会員カードであり、貸出レートが玉１である交換許可フラグを参照し、この場合、当該交換許可フラグがオンであるため、当該玉１の貯玉口座を用いた景品交換（玉１の貯玉と景品の交換）を許可と判定し、また、引落し対象として選択された貯玉口座の貸出レートが玉２である場合には、交換許可設定テーブル７８ａ内の媒体種別が会員カードであり、貸出レートが玉２である交換許可フラグを参照し、この場合、当該交換許可フラグがオフであるため、当該玉２の貯玉口座を用いた景品交換（玉２の貯玉と景品の交換）を不許可と判定する。
【００６４】
一方、景品管理装置７０ｂに内在する交換許可判定部７７ａでは、引落し対象として選択された貯玉口座の貸出レートが玉２である場合には、交換許可設定テーブル７８ｂ内の媒体種別が会員カードであり、貸出レートが玉２である交換許可フラグを参照し、この場合、当該交換許可フラグがオンであるため、当該玉２の貯玉口座を用いた景品交換（玉２の貯玉と景品の交換）を許可と判定し、また、引落し対象として選択された貯玉口座の貸出レートが玉１である場合には、交換許可設定テーブル７８ｂ内の媒体種別が会員カードであり、貸出レートが玉１である交換許可フラグを参照し、この場合、当該交換許可フラグがオフであるため、当該玉１の貯玉口座を用いた景品交換（玉１の貯玉と景品の交換）を不許可と判定する。
【００６５】
交換許可／禁止制御部７７ｂは、交換許可判定部７７ａによって交換を許可すると判定された場合には、当該交換対象の貸出レートのパチンコ玉と景品との交換を景品交換処理部７７ｄに許可し、交換を許可しないと判定された場合には、当該交換対象の貸出レートのパチンコ玉と景品との交換を禁止するように制御する処理部である。
【００６６】
貯玉処理部７７ｃは、会員管理テーブルにて管理される貯玉残高の更新処理を行う処理部である。具体的には、交換許可判定部７７ａから会員ＩＤを含む問合せ要請を受け付けた場合には、会員管理Ｔ／Ｃ１０に当該会員ＩＤの貯玉残高を問い合わせたり、景品交換処理部７７ｄから会員ＩＤ、貸出レート及び交換玉数を含む貯玉減算要請を受け付けた場合には、会員管理テーブルにおける当該会員ＩＤの該当貸出レートの貯玉口座から交換玉数を減算するように会員管理Ｔ／Ｃ１０に依頼したりする。
【００６７】
景品交換処理部７７ｄは、交換玉数管理テーブル７９を用いてパチンコ玉と景品との交換を管理する処理部である。具体的には、交換許可／禁止制御部７７ｂによって計数レシートを用いた交換が許可された場合には、遊技店の従業員により遊技客指定の景品に対応する交換ボタンが押下されるので、交換玉数管理テーブル７９を参照して当該景品に合致する交換玉数を獲得玉数から減算し、かかる獲得玉（計数値）との景品交換を獲得玉がなくなるか、或いは終了ボタンの押下を受け付けるまで繰り返し行う。また、交換許可／禁止制御部７７ｂによって会員カードを用いた交換が許可された場合には、従業員用操作キー７２を通じて景品の交換指定を行う交換ボタンが押下されると、交換玉数管理テーブル７９を参照して当該景品に合致する交換玉数を引落し対象の貯玉口座の貯玉残高から減算するように貯玉処理部７７ｃに要請し、かかる貯玉との景品交換を貯玉残高がなくなるか、或いは終了ボタンの押下を受け付けるまで繰り返し行う。なお、交換玉数の減算時は、景品管理装置７０ａでは交換玉数管理テーブル７９ａが参照され、また、景品管理装置７０ｂでは交換玉数管理テーブル７９ｂが参照される。
【００６８】
次に、本実施例１に係る景品交換処理について詳細に説明する。図９は、実施例１に係る景品交換処理を示すフローチャートである。同図に示すように、バーコードリーダ８２によって計数レシートから計数情報が読み取られた場合（ステップＳ１０１肯定）には、交換許可判定部７７ａは、計数レシートに係る交換許可判定処理を行う（ステップＳ１０２）。
【００６９】
ここで、上記ステップＳ１０２に示した計数レシートに係る交換許可判定処理について詳細に説明する。図１０は、図９のステップＳ１０２に示した計数レシートに係る交換許可判定処理の手順を示すフローチャートである。この処理は、バーコードリーダ８２によって計数レシートから計数情報が読み取られた場合に行われる処理である。
【００７０】
図１０に示すように、交換許可判定部７７ａは、交換許可設定テーブル７８によって記憶される交換許可フラグのうち、計数情報に含まれる獲得玉の貸出レートに対応する交換許可フラグを参照する（ステップＳ２０１）。
【００７１】
その結果、交換許可フラグがオンである場合（ステップＳ２０２肯定）には、交換許可判定部７７ａは、当該計数レシートを用いた交換を許可すると判定し（ステップＳ２０３）、一方、交換許可フラグがオフである場合（ステップＳ２０２否定）には、当該計数レシートを用いた交換を不許可しないと判定し（ステップＳ２０４）、図９に示したステップＳ１０５の処理に移行する。
【００７２】
図９の説明に戻り、カードリーダ８１によって会員カードから会員ＩＤが読み取られた場合（ステップＳ１０３肯定）に、交換許可判定部７７ａは、会員カードに係る交換許可判定処理を行う（ステップＳ１０４）。
【００７３】
ここで、上記ステップＳ１０４に示した会員カードに係る交換許可判定処理について詳細に説明する。図１１は、図９のステップＳ１０４に示した会員カードに係る交換許可判定処理の手順を示すフローチャートである。この処理は、カードリーダ８１によって会員カードから会員ＩＤが読み取られた場合に行われる処理である。
【００７４】
図１１に示すように、交換許可判定部７７ａは、カードリーダ８１を介して会員カードから読み取られた会員ＩＤの貯玉残高を会員管理Ｔ／Ｃ１０に問い合わせるように貯玉処理部７７ｃに要請し（ステップＳ３０１）、貯玉処理部７７ｃによって問い合わされた当該会員ＩＤの各貸出レートの貯玉残高を取得した後に、従業員用タッチパネル７１及び遊技客用タッチパネル７３に各貸出レートごとの貯玉残高を表示させる（ステップＳ３０２）とともに、引落し対象とする貯玉口座の貸出レートを選択する選択ボタンを表示させてその選択を受け付ける（ステップＳ３０３）。
【００７５】
続いて、交換許可判定部７７ａは、交換許可設定テーブル７８によって記憶される交換許可フラグのうち、引落し対象として選択された貯玉口座の貸出レートに対応する交換許可フラグを参照する（ステップＳ３０４）。
【００７６】
その結果、交換許可フラグがオンである場合（ステップＳ３０５肯定）には、交換許可判定部７７ａは、当該貯玉口座を用いた交換を許可すると判定し（ステップＳ３０６）、一方、交換許可フラグがオフである場合（ステップＳ３０５否定）には、当該貯玉口座を用いた交換を許可しないと判定し（ステップＳ３０７）、図９に示したステップＳ１０５の処理に移行する。
【００７７】
図９の説明に戻り、計数レシート又は会員カードのいずれかの交換許可判定が行われた後、交換許可判定部７７ａによって交換を許可しないと判定された場合（ステップＳ１０５否定）に、交換許可／禁止制御部７７ｂは、計数レシート又は会員カード（正確には、特定の貸出レートの貯玉口座）を用いた交換を禁止し（ステップＳ１０６）、従業員用タッチパネル７１及び遊技客用タッチパネル７３に交換ＮＧ報知を行い（ステップＳ１０７）、処理を終了する。
【００７８】
一方、交換許可判定部７７ａによって交換を許可すると判定された場合（ステップＳ１０５肯定）に、交換許可／禁止制御部７７ｂは、当該計数レシート又は会員カード（正確には、特定の貸出レートの貯玉口座）を用いた交換を景品交換処理部７７ｄに許可する（ステップＳ１０８）。
【００７９】
ここで、計数レシートの獲得玉、或いは引落し対象として選択された貯玉口座の貯玉残高に残数が存在する場合（ステップＳ１０９肯定）、景品交換処理部７７ｄは、専用貸出レートの獲得玉或いは貯玉との景品交換を行う（ステップＳ１１０）。具体的には、従業員用操作キー７２を通じて景品の交換指定を行う交換ボタンが押下されると、交換玉数管理テーブル７９内の指定景品に対応する交換玉数を獲得玉数又は貯玉残高から減算する。
【００８０】
その後、従業員用タッチパネル７１又は遊技客用タッチパネル７３に表示される交換終了ボタンの押下を受け付けるか、或いは獲得玉がなくなるまで（ステップＳ１１１肯定又はステップＳ１０９否定）、景品交換処理部７７ｄは、かかる専用貸出レートの獲得玉或いは貯玉との景品交換を繰り返し行う（ステップＳ１１０）。
【００８１】
続いて、交換終了ボタンの押下を受け付けるか、或いは使用可能レートの貯玉残高がなくなると（ステップＳ１１１肯定又はステップＳ１０９否定）、景品交換処理部７７ｄは、交換された景品が存在する場合にのみ（ステップＳ１１２肯定）、景品レシート（例えば、総獲得玉数、交換景品名及びその交換玉数等の項目、或いは引落し前後の貯玉残高、引落し貯玉数、交換景品名及びその交換玉数などの項目を印字したレシート）を発行するようにレシート発行部７５に要請し（ステップＳ１１３）、処理を終了する。
【００８２】
上述してきたように、本実施例１に係る景品管理装置７０によれば、交換対象の貸出レートとして、計数レシートに関連付けられた貸出レートを取得し、貸出レートに対応付けて記憶した交換許可フラグに基づいて、計数レシートから取得した貸出レートの獲得玉と景品との交換を許可するか否かを判定し、交換を許可すると判定した場合には、当該獲得玉と景品との交換を許可し、交換を許可しないと判定した場合には、当該獲得玉と前記景品との交換を禁止するように制御するように構成したので、それぞれの景品カウンタの景品管理装置７０を玉１の計数レシート専用の景品管理装置７０ａならびに玉２の計数レシート専用の景品管理装置７０ｂとして機能させることができ、各貸出レートに対応する景品カウンタ間で交換景品の差別化を図りたいとする遊技店の運用ニーズを実効的に実現することが可能になる。
【００８３】
また、本実施例１に係る景品管理装置７０によれば、交換対象の貸出レートとして、引落し対象とする貯玉口座の貸出レートを取得し、貸出レートに対応付けて記憶した交換可否設定に基づいて、取得した貸出レートの貯玉と景品との交換を許可するか否かを判定し、交換を許可すると判定した場合には、当該貸出レートの貯玉と景品との交換を許可し、交換を許可しないと判定した場合には、当該貸出レートの貯玉と景品との交換を禁止するように制御するように構成したので、それぞれの景品カウンタの景品管理装置７０を玉１の貯玉口座専用の景品管理装置７０ａならびに玉２の貯玉口座専用の景品管理装置７０ｂとして機能させることができ、各貸出レートに対応する景品カウンタ間で交換景品の差別化を図りたいとする遊技店の運用ニーズを実効的に実現することが可能になる。
【実施例２】
【００８４】
さて、これまで本発明の実施例について説明したが、本発明は上述した実施例以外にも、種々の異なる形態にて実施されてよいものである。そこで、以下では、本発明に含まれる他の実施例を説明する。
【００８５】
（１）交換可否設定
例えば、本発明では、遊技店に配設される遊技台の貸出レートの設定状況を親機の景品管理装置に記憶させておき、親機の景品管理装置によって遊技台の貸出レートの設定状況を参照させ、各景品管理装置の交換許可設定テーブル７８に交換許可フラグを設定させるようにしてもよい。具体的には、親機の景品管理装置は、４円コーナーの島と１円コーナーの島の配置情報をフロア情報として記憶しておき、各貸出レートの遊技コーナーと景品管理装置との平均距離を貸出レートごとに比較し、さらに、かかる各遊技コーナーとの平均距離を景品管理装置ごとに算出して比較し、各景品管理装置と各遊技コーナーの平均距離が最も短くなるように各景品管理装置の交換許可フラグ（図５及び図６に示すように、特定貸出レートの交換だけ許可させ、特定貸出レート専用の景品管理装置とするフラグ設定）を設定するようにしてもよい。
【００８６】
例えば、図１２に示すように、親機の景品管理装置（いずれの景品管理装置でもかまわない）は、フロア情報として記憶しておいた店内左端の景品管理装置から４円コーナーの各島への距離がＸ１及びＸ２であり、店内左端の景品管理装置から１円コーナーの各島への距離Ｘ３及びＸ４であることから、４円コーナーまでの平均距離（２×Ｘ１＋２×Ｘ２／４＝Ｘ１＋Ｘ２／２）を算出するとともに、１円コーナーまでの平均距離（２×Ｘ３＋２×Ｘ４／４＝Ｘ３＋Ｘ４／２）を算出し、これら両者を比較し、Ｘ１、Ｘ２、Ｘ３及びＸ４の大きさの関係がＸ１＜Ｘ２＜Ｘ３＜Ｘ４であることから、「４円コーナーまでの平均距離＜１円コーナーまでの平均距離」という比較結果を得る。
【００８７】
一方、親機の景品管理装置は、店内右側の景品管理装置から４円コーナーの各島への距離がＹ３及びＹ４であり、店内右側の景品管理装置から１円コーナーの各島への距離がＹ１及びＹ２であることから、４円コーナーまでの平均距離（２×Ｙ３＋２×Ｙ４／４＝Ｙ３＋Ｙ４／２）を算出するとともに、１円コーナーまでの平均距離が（２×Ｙ１＋２×Ｙ２／４＝Ｙ１＋Ｙ２／２）を算出し、これら両者を比較し、Ｙ１、Ｙ２、Ｙ３及びＹ４の大きさの関係がＹ１＜Ｙ２＜Ｙ３＜Ｙ４であることから、「４円コーナーまでの平均距離＞１円コーナーまでの平均距離」という比較結果を得る。
【００８８】
このように、店内左側の景品管理装置は４円コーナーまでの平均距離が短く、かつ店内右側の景品管理装置は１円コーナーまでの平均距離が短いという比較結果を得た場合には、店内左側の景品管理装置に図５に示す交換許可設定テーブル７８ａと同様に交換許可フラグを設定して４円専用の景品管理装置７０ａとし、店内右側の景品管理装置に図６に示す交換許可設定テーブル７８ｂと同様に交換許可フラグを設定して１円専用の景品管理装置７０ａとする。
【００８９】
これにより、遊技客が最小限の移動を行うだけで景品カウンタに到達できるように各景品管理装置の交換許可フラグを自動的に設定することができ、遊技店の実運用に適合した交換可否設定を効率的に行うことが可能になる。なお、かかる交換許可フラグの設定は、必ずしも親機の景品管理装置に行わせる必要はなく、会員管理Ｔ／Ｃ１０や図示しないホールコンピュータ等の上位装置に行わせてもよい。
【００９０】
また、本発明では、４円コーナーの遊技台と１円コーナーの遊技台の台数情報をフロア情報として親機の景品管理装置に記憶させておき、４円コーナーの遊技台及び１円コーナーの遊技台の台数比率に基づいて、各景品管理装置の交換許可設定テーブル７８に交換可否設定を登録させるようにしてもかまわない。
【００９１】
例えば、図１３に示すように、４円コーナーの遊技台の台数が８０台であり、また、１円コーナーの遊技台の台数が４０台であるとするフロア情報が親機の景品管理装置に記憶されていた場合に、親機の景品管理装置では、４円コーナーの遊技台と１円コーナーの遊技台のとの台数比率「２：１」を算出し、両コーナーの台数比率「２：１」にしたがって遊技店に配設された景品管理装置を専用機として振り分ける。この場合、景品管理装置が遊技店に３台設置されていることから、親機の景品管理装置は、全３台のうち２台を図５に示す交換許可設定テーブル７８ａと同様に交換許可フラグを設定して４円専用の景品管理装置７０ａとし、残り１台を図６に示す交換許可設定テーブル７８ｂと同様に交換許可フラグを設定して１円専用の景品管理装置７０ａとする。
【００９２】
これにより、各貸出レートの遊技コーナーの台数に適合した配分で景品管理装置に専用とすべき貸出レートを振り分けることができ、各貸出レートの景品カウンタで遊技客が交換待機待ちとなる状況を予防できるように各景品管理装置の交換許可フラグを自動的に設定することができる結果、遊技店の実運用に適合した交換可否設定を効率的に行うことが可能になる。
【００９３】
また、上記した実施例１では、４円コーナーと１円コーナーとの２つの遊技コーナーが遊技店内に設けられる場合の例を説明したが、貸出レートが異なる３つ以上の遊技コーナーを設ける場合（例えば、４円コーナー、２円コーナー及び１円コーナー）を設ける場合にも本発明を同様に適用することができる。
【００９４】
さらに、上記した実施例１では、１つの遊技コーナーにつき１つの景品管理装置をその貸出レートの専用機として機能させる場合を説明したが、３つ以上の貸出レートに対する遊技コーナーが遊技店に存在する場合には、全ての貸出レートの獲得玉・貯玉との景品との交換を許可しなければ複数の貸出レートの獲得玉又は貯玉と景品との交換を許可するようにしてもかまわない。
【００９５】
例えば、図１４に示すように、４円コーナー及び１円コーナーに加えて２円コーナーをさらに設けた場合には、特殊景品の交換を許可するか否かによって景品カウンタを区別すれば２つの景品管理装置を遊技店内に設ければよく、１つの遊技コーナーにつきその貸出レート専用の景品管理装置を設ける場合に比べて設置すべき景品管理装置の絶対数を減らすことができる。この場合、１つの景品管理装置を図５に示す交換許可設定テーブル７８ａと同様に交換許可フラグを設定して４円専用の景品管理装置７０ａとして機能させ、また、もう１つの景品管理装置を図１５に示す交換許可設定テーブル７８ｃのように交換許可フラグを設定して１円・２円専用の景品管理装置７０ｃとして機能させればよい。
【００９６】
また、上記した実施例１では、貯玉を用いた景品交換を行う場合に、引落し対象の貯玉口座に交換を希望する景品の交換玉数に相当する残数がなければ、その時点で景品交換を終了することとしたが、本発明はこれに限定されるものではなく、他の貸出レートの貯玉口座から振り替えて引き落とすようにしてもよい。
【００９７】
例えば、上記した１円・２円専用の景品管理装置７０ｃにおいて玉２の貯玉口座を用いて景品交換を行っている場合に、希望景品の交換玉数が玉２の貯玉口座に存在しないならば、図１５に示す交換許可設定テーブル７８ｃから他に交換が許可される貸出レートを検索し、その結果、玉３の貯玉口座の交換許可フラグがオンであるため、玉２の貯玉口座から希望景品の交換玉数の一部又は全部を引落すとともに、残りの不足分があれば、不足分の玉数を玉３の貯玉口座から振り替えて引落す。すなわち、これによって、当該景品管理装置で交換が許可される全ての貸出レートの貯玉口座を用いて景品交換を行うことができ、遊技客の景品交換サービスに係る利便性を向上させることが可能になる。
【００９８】
なお、この場合、玉３の貯玉口座から残りの不足分の玉数を引き落とす際には、玉３の貸出レートに対応した不足分の玉数を玉２の貸出レートに換算してから（不足分の玉数に玉３と玉２の玉単価の比が２：１であるため、玉２の遊技媒体数に換算する際には「２」を乗算してから）、玉３の貯玉口座から引き落とす必要があり、当然のことながら、玉３の貯玉口座に不足分の玉数が存在しなければ引き落としを行うことはできない。また、このような例外的な振替え引落しを定常的に許容するのは遊技店の運用上好ましくないため、１度の景品交換では１度しか許容しない、また、１日に１度しか許容しない等の制限を設けることが望ましい。また、玉２の貯玉口座を全て使い切ってから玉３の貯玉口座に対する引落しを行う方が望ましい。
【００９９】
また、上記した実施例１では、４円専用の景品管理装置７０ａでは玉２（１円／玉）の計数レシート及び貯玉口座を用いた景品交換を全面的に禁止させる一方で１円専用の景品管理装置７０ｂでは玉１（４円／玉）の計数レシート及び貯玉口座を用いた景品交換を全面的に禁止させる例を説明したが、必ずしも全面的に禁止させる必要はなく、一方の貸出レートの計数レシートを用いた景品交換だけを禁止したり、また、一方の貸出レートの貯玉口座を用いた景品交換だけを禁止するようにしてもかまわない。
【０１００】
また、上記した実施例１では、４円コーナーと１円コーナーが階層構造である例を説明したが、本発明はこれに限定されるものではなく、４円コーナーと１円コーナーが同一フロアーに共存していてもかまわない。
【０１０１】
なお、上記した実施例１では、景品カウンタに持ち込まれる計数記録媒体が紙媒体の計数レシートである場合を説明したが、本発明はこれに限定されるものではなく、計数記録媒体が磁気カードやＩＣカード等の他の記録媒体であっても本発明を同様に適用することができる。
【０１０２】
また、上記した実施例１では、本発明をパチンコ遊技に適用する例を説明したが、パチスロ遊技を対象としてさらに含めた場合又はパチスロ遊技のみを対象とした場合にも本発明を同様に適用することができる。なお、ここでは、パチンコ店及びパチスロ店に本発明を適用する例を説明したが、本発明はこれに限定されるものではなく、ゲームセンタ等の遊技施設にも同様に適用することができる。
【０１０３】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【０１０４】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【０１０５】
以上のように、本発明に係る会員管理システム及び会員管理装置は、遊技店の運用ニーズに適合した景品交換サービスを実現する場合に適している。
【符号の説明】
【０１０６】
１０    会員管理Ｔ／Ｃ
２０    島コントローラ
３０ａ，３０ｂ  ＣＲユニット
４０ａ，４０ｂ  パチンコ機
５０ａ，５０ｂ  計数機
６０ａ，６０ｂ  会員カード処理機
７０ａ，７０ｂ  景品管理装置
７１    従業員用タッチパネル
７２    従業員用操作キー
７３    遊技客用タッチパネル
７４    通信Ｉ／Ｆ部
７５    レシート発行部
７６    記憶部
７８    交換許可設定テーブル
７９    交換玉数管理テーブル
７７    制御部
７７ａ  交換許可判定部
７７ｂ  交換許可／禁止制御部
７７ｃ  貯玉処理部
７７ｄ  景品交換処理部
８０    景品払出機
８１    カードリーダ
８２    バーコードリーダ
【図１】
2010188179.tif 000003
【図２】
2010188179.tif 000004
【図３】
2010188179.tif 000005
【図４】
2010188179.tif 000006
【図５】
2010188179.tif 000007
【図６】
2010188179.tif 000008
【図７】
2010188179.tif 000009
【図８】
2010188179.tif 000010
【図９】
2010188179.tif 000011
【図１０】
2010188179.tif 000012
【図１１】
2010188179.tif 000013
【図１２】
2010188179.tif 000014
【図１３】
2010188179.tif 000015
【図１４】
2010188179.tif 000016
【図１５】
2010188179.tif 000017